(57)【特許請求の範囲】
【請求項１】
登録印鑑データによる実寸大の印鑑の画像を表示する表示ユニットと、光学系ユニットとより成り、
光学系ユニットは被照合印を押印した帳票を載置する帳票載置台と、この帳票載置台の後端に設けられかつ前記帳票載置台に対して直角を成すように前記表示ユニットを装着する装着部と、この装着部に装着された前記表示ユニット及び前記帳票載置台に対してそれぞれ４５度を成すように保持されたハーフミラーを備え、
前記表示ユニット単体で使用するときは上下を正常にして、前記登録印鑑データによる画像を通常に表示し、
前記表示ユニットを前記光学系ユニットに組み合わせて使用するときは、前記表示ユニットを前記光学系ユニットの装着部に上下を逆にして装着すると共に前記登録印鑑データによる画像を左右を反転して表示することを特徴とする印鑑照合装置。
【請求項２】
請求項１において、
表示ユニットを光学系ユニットの装着部に装着したことを検出する検出手段を表示ユニットに設け、
この検出手段により表示ユニットの装着を検出したとき、登録印鑑データによる画像を左右を反転して表示することを特徴とする印鑑照合装置。
【請求項３】
請求項１において、
ハーフミラーを固定支持した支持部材を装着部の前部側に上下動可能に取り付けると共に、この支持部材を手動で上下動させる移動機構を設け、
表示ユニットに基準パターンを表示する機能を持たせると共に、帳票載置台上には前記基準パターンと同形状で同じ大きさの基準パターンを設け、
調整時に表示ユニットに基準パターンを表示させ、この基準パターンと帳票載置台上の基準パターンが前記ハーフミラー上で合致するように前記移動機構により前記支持部材を上下動させて調整することを特徴とする印鑑照合装置。
【請求項４】
請求項１において、
帳票載置台上の帳票を照明する光源をハーフミラーの下面側に設けたことを特徴とする印鑑照合装置。
【請求項５】
登録印鑑データによる実寸大の印鑑の画像を表示する表示ユニットと、光学系ユニットとより成り、
光学系ユニットは被照合印を押印した帳票を載置する挿入保持する帳票保持部と、この帳票保持部に対して直角を成すように前記表示ユニットを寝かせて装着する装着部と、この装着部に装着された前記表示ユニット及び前記帳票載置台に対してそれぞれ４５度を成すように保持されたハーフミラーを備え、
前記表示ユニット単体で使用するときは上下を正常にして、前記登録印鑑データによる画像を通常に表示し、
前記表示ユニットを前記光学系ユニットに組み合わせて使用するときは、前記表示ユニットを上面側が手前になるように前記光学系ユニットの装着部に装着すると共に前記登録印鑑データによる画像を左右を反転して表示することを特徴とする印鑑照合装置。
【発明の詳細な説明】
【０００１】
【発明の属する技術分野】
本発明は、銀行等の金融機関にて取引の際に顧客が使用した印鑑の正当性を確認するため、その印鑑が登録された印鑑と同じどうかを照合するための印鑑照合装置に関するものである。
【０００２】
【従来の技術】
現在金融機関で使用されている印鑑照会システムでは、口座の開設時等に顧客の印鑑の画像をイメージスキャナ等で取得し、これを登録印鑑データとしてファイル化して金融機関のセンタのホストコンピュータに管理させるようにしているが、ファイル化に当たって各登録印鑑データには口座番号等をコードとして付加しており、取引上印鑑の照合が必要なときは金融機関の係員がキーボード等の入力手段で前記のコードを入力することにより目的の登録印鑑データを読みだして印鑑照合装置の表示ユニットの画面に実寸大の印鑑の画像を表示させ、この印鑑の画像と顧客が提示した帳票（例えば、支払い請求書や通帳）に押印されている被照合印の印影とを見比べて照合している。
【０００３】
また、印鑑照合装置にビデオカメラやイメージスキャナ等のイメージ取得手段を加え、顧客が取引の際に提示した帳票に押印されている被照合印の印影をイメージ取得手段で取得してその画像を登録印鑑データによる画像と共に表示装置の画面に並べて表示させたり、重ね合わせて表示するようにした装置も実用化されている。
【０００４】
【発明が解決しようとする課題】
しかしながら上述した従来の技術では以下のような問題がある。
まず、登録印鑑データによる画像のみを表示ユニットで表示する装置の場合、印鑑の刻印内容が複雑であると、表示ユニットに表示された登録印鑑データによる画像と帳票上の印影とを目視により照合確認することが難しく、表示ユニットへの表示位置や帳票への押印位置等によっては微妙な刻印内容を見分けることが著しく困難になる。
【０００５】
また、ビデオカメラやイメージスキャナ等のイメージ取得手段を加えて印鑑照合装置を構成する場合、刻印内容が複雑な印鑑の照合を容易に行うことができるものの、装置が高価になると共に、金融機関の第一線のカウンタ等の狭いスペースに設置するには不向きなものとなる。
従って、本発明は、複雑な刻印内容の印鑑の照合を容易に行うことが可能で、かつ安価であると共に、狭い設置スペースにも対応でき、しかも容易に製造可能な印鑑照合装置を実現することを目的とするものである。
【０００６】
【課題を解決するための手段】
そのため本発明は、登録印鑑データによる実寸大の印鑑の画像を表示する表示ユニットと、光学系ユニットとより成り、光学系ユニットは被照合印を押印した帳票を載置する帳票載置台と、この帳票載置台の後端に設けられかつ前記帳票載置台に対して直角を成すように前記表示ユニットを装着する装着部と、この装着部に装着された前記表示ユニット及び前記帳票載置台に対してそれぞれ４５度を成すように保持されたハーフミラーを備え、前記表示ユニット単体で使用するときは上下を正常にして、前記登録印鑑データによる画像を通常に表示し、前記表示ユニットを前記光学系ユニットに組み合わせて使用するときは、前記表示ユニットを前記光学系ユニットの装着部に上下を逆にして装着すると共に前記登録印鑑データによる画像を左右を反転して表示することを特徴とする。
【０００７】
【発明の実施の形態】
以下に図面を参照して本発明による印鑑照合装置の実施の形態について説明する。
図１は第１の実施の形態を示す概略側面図である。
図において１は登録印鑑データによる実寸大の印鑑の画像を表示する専用の表示ユニットで、ＬＣＤディスプレイ等により構成されている。
【０００８】
２は光学系ユニットで、この光学系ユニット２は帳票を載置する水平な帳票載置台３と、この帳票載置台３の後端側に垂直に立ち上がるように設けられた装着部４と、この装着部４の前面側に設けられたハーフミラー５を備えており、このハーフミラー５は帳票載置台３及び装着部４に対して４５度の角度を成すように支持部材を介して固定支持されている。
【０００９】
図２は表示ユニット１の斜視図で、この図に示したように表示ユニット１はその上面にＶ形の断面を持つ２本の位置決め溝６ａ，６ｂが設けられており、この位置決め溝６ａ，６ｂに対応するＶ形の断面を持つ２つの位置決め突起が図１に示した光学系ユニット２の装着部４の底面に設けられていて、表示ユニット１を装着部４に装着する場合は、表示ユニット１を逆さにして画面がハーフミラー５と対向するように装着部４内に納めると共に、この表示ユニット１の位置決め溝６ａ，６ｂを装着部４の位置決め突起に嵌合させることにより位置決めを行うことで、装着するものとなっている。
【００１０】
図３は表示ユニット１の着脱を検出する検出手段（検出回路）の説明で、図において７ａ，７ｂは装着部４の位置決め突起であり、表示ユニット１の位置決め溝６ａ，６ｂの面には電極８ａ，８ｂが設けられ、また、位置決め突起７ａ，７ｂの面には電極９ａ，９ｂが設けられている。
ここで、電極８ａ，８ｂはそれぞれ基準電位ＶＥＥによってプルアップされており、また電極９ａ，９ｂはそれぞれＧＮＤレベルに設定されている。
【００１１】
従って、表示ユニット１が単独の状態にあるときは電極８ａ，８ｂはオープン状態であるため、基準電位ＶＥＥでプルアップされた状態、つまりハイレベルの信号が信号線ＳＴ１，ＳＴ２に現れ、表示ユニット１を光学系ユニット２の装着部４に装着したときは位置決め溝６ａ，６ｂを位置決め突起７ａ，７ｂにそれぞれ嵌合することにより電極８ａ，８ｂと電極９ａ，９ｂが接触するとローレベルの信号が信号線ＳＴ１，ＳＴ２に現れるものとなっていて、これにより表示ユニット１の着脱が検出されるものとなっている。
【００１２】
図４は表示ユニット１における制御系を示すブロック図である。
図において１０は図示しないファイルから転送されてきた登録印鑑データを格納する画像メモリ、１１は登録印鑑データによる実寸大の印鑑の画像を表示する表示部、１２は表示部コントローラ、１３は表示ユニット１全体を制御する制御部（ＣＰＵ）であり、制御部１３は画像メモリ１０に格納されている登録印鑑データを読み出し、読み出した登録印鑑データを表示部コントローラ１２へ書き込み、表示部１１へ印鑑の画像を映し出すように制御するものとなっている。
【００１３】
図５は画像メモリ１０から登録印鑑データを読み出す場合の方法を示す説明図である。
画像メモリ１０には登録印鑑データが図のように主走査方向にＸ０〜Ｘｎ、副走査方向にＹ０〜Ｙｍのように展開しており、制御部１３は表示ユニット１の使用形態に応じて画像メモリ１０から登録印鑑データを主走査方向においてＸ０→Ｘｎ（通常モード）の方向に読み出すか、またはＸｎ→Ｘ０（反転モード）の方向に読み出す。
【００１４】
図６（ａ）、 (ｂ) はそれぞれ読み出した登録印鑑データの表示形態を示す図である。
制御部１３が画像メモリ１０から登録印鑑データを主走査方向においてＸ０→Ｘｎの方向に読み出した場合、登録印鑑データによる印鑑の画像は図６（ａ）に示すように通常の状態に表示される。
【００１５】
一方、制御部１３が画像メモリ１０から登録印鑑データを主走査方向においてＸｎ→Ｘ０の方向に読み出した場合、印鑑の画像は図６ (ｂ) に示すように左右が反転した状態に表示される。
次に上述した構成の作用について説明する。
まず、本印鑑照合装置は、表示ユニット１を単独で使用する場合と、表示ユニット１を光学系ユニット２と組み合わせて使用する場合の２通りの使用方法がある。
【００１６】
表示ユニット１を単独で使用するのは、例えば簡単な刻印内容の印鑑を照合する場合であり、表示ユニット１は図２に示したように正常な状態に立てて使用される。
この状態で印鑑照合装置を操作する係員が顧客が提出した帳票を見て口座番号等のコードを入力すると、入力されたコードは制御部１３により金融機関のセンタのホストコンピュータに転送され、そしてホストコンピュータにより該当する登録印鑑データがファイルから読み出されて制御部１３に送られる。
【００１７】
この登録印鑑データは一旦画像メモリ１０に格納され、制御部１３により次に述べるような通常モードか反転モードかのモード認識が行われる。
すなわち、表示ユニット１が単独で使用される場合、この表示ユニット１の位置決め溝６ａ，６ｂに設けた電極８ａ，８ｂは、図３で説明したようにオープン状態であって、基準電位ＶＥＥでプルアップされ、ハイレベルの信号が信号線ＳＴ１，ＳＴ２に現れるため、このハイレベルの信号により制御部１３は表示ユニット１が光学系ユニット２の装着部４に装着されていないと判断し、通常モードであると認識する。
【００１８】
これにより制御部１３は画像メモリ１０から登録印鑑データを図５に示したように主走査方向においてはＸ０→Ｘｎの方向に、副走査方向においてはＹ０→Ｙｍの方向に読み出して、表示ユニット１の表示部１１に図６（ａ）のように通常の画像として表示させるので、係員は表示された画像と顧客が提示した帳票に押印されている被照合印の印影とを見比べて印鑑の照合を行う。
【００１９】
一方、表示ユニット１を光学系ユニット２と組み合わせて使用する場合は、例えば複雑な刻印内容の印鑑を照合する場合であり、表示ユニット１は前述したように上下を逆さにし、帳票載置台３に対して直角をなすように装着部４内に立てて納めると共に、この表示ユニット１の位置決め溝６ａ，６ｂを装着部４の位置決め突起７ａ，７ｂに嵌合させることで位置決めを行う。
【００２０】
これにより表示ユニット１は装着部４内に装着される状態となるので、この状態で係員は顧客が提出した帳票を見て口座番号等のコードを図示しないキーボードにより入力すると、入力されたコードは制御部１３により金融機関のセンタのホストコンピュータに転送され、そしてホストコンピュータにより該当する登録印鑑データがファイルから読み出されて制御部１３に送られた後、画像メモリ１０に格納される。
【００２１】
ここで制御部１３により表示モードの認識が行われる。
この場合、位置決め溝６ａ，６ｂを位置決め突起７ａ，７ｂにそれぞれ嵌合することで電極８ａ，８ｂと電極９ａ，９ｂが接触し、ローレベルの信号が信号線ＳＴ１，ＳＴ２に現れるので、このローレベルの信号により制御部１３は表示ユニット１が光学系ユニット２の装着部４に装着されていると判断し、反転モードであると認識する。
【００２２】
これにより制御部１３は画像メモリ１０から登録印鑑データを図５に示したように主走査方向においてはＸｎ→Ｘ０の方向に、副走査方向においてはＹ０→Ｙｍの方向に読み出して、表示ユニット１の表示部１１に図６ (ｂ) のように左右が反転した画像として表示させる。
この表示ユニット１は前記のように上下を逆さにして装着部４に装着されているため、表示ユニット１の画像は左右が反転した画像が上下逆に表示されていることになるが、この画像は光学系ユニット２のハーフミラー５上に映ることにより左右が更に反転するので、光学系ユニット２の正面に向かって上方からハーフミラー５を覗き込むと画像は正常な形で見えることになる。
【００２３】
図７はこのときの画像の再反転を示すための説明図で、表示ユニット１に表示された画像は（イ）のように左右が反転した画像が上下逆になっているが、ハーフミラー５上に映ることにより左右が更に反転し、上から見たとき画像は（ロ）にように正常になる。
１４は顧客が提示した帳票で、この帳票１４は係員が光学系ユニット２の帳票載置台３上に載せる。
【００２４】
この帳票に押印されている被照合印の印影は（ハ）のように正常であり、上方からハーフミラー５を覗き込んだときも、ハーフミラー５を通して（ニ）のように正常な形で見えるので、ハーフミラー５上に映し出された登録印鑑データによる印鑑の画像と帳票１４上に印影を重ね合わせ、これにより係員は印鑑の照合を行う。
【００２５】
図８は表示ユニット１の着脱を検出する検出手段（検出回路）の説明図で、この例では位置決め溝６ａ，６ｂに及び位置決め突起７ａ，７ｂに図３に示したような電極８ａ，８ｂ及び電極９ａ，９ｂは設けないものとし、代わりに位置決め溝６ａ，６ｂ内にスイッチ１５ａ，１５ｂを設けたものとなっている。
ここで、電極８ａ，８ｂはそれぞれ基準電位ＶＥＥによってプルアップされており、また電極９ａ，９ｂはそれぞれＧＮＤレベルに設定されている。
【００２６】
この場合、表示ユニット１が単独の状態にあるときはスイッチ１５ａ，１５ｂは押下されずオープン状態であるため、基準電位ＶＥＥでプルアップされた状態つまりハイレベルの信号が信号線ＳＴ１，ＳＴ２に現れ、表示ユニット１を光学系ユニット２の装着部４に装着して位置決め溝６ａ，６ｂを位置決め突起７ａ，７ｂにそれぞれ嵌合したときは、位置決め突起７ａ，７ｂによってスイッチ１５ａ，１５ｂが押下されるため、ローレベルの信号が信号線ＳＴ１，ＳＴ２に現れる。
【００２７】
従って、制御部１３はこれらの信号により表示ユニット１の着脱を判断して通常モードか反転モードかを認識することができる。
以上説明した第１の実施の形態によれば、例えば簡単な刻印内容の印鑑を照合する場合、表示ユニットを単独で使用して照合を行うことができ、また複雑な刻印内容の印鑑を照合する場合は、表示ユニットを光学系ユニットの装着部に装着することにより、光学系ユニットのハーフミラーを利用して複雑な刻印内容の印鑑の照合を容易に行うことができ、しかも表示ユニットの装着は容易であるので取扱い性にも優れたたものとなる。
【００２８】
また、ハーフミラーを有する光学系ユニットはビデオカメラやイメージスキャナ等のイメージ取得手段を組み合わせる場合に比べて安価であると共に、光学系ユニットは表示ユニットに対応した小型に構成できるので場所を取らず、そのため金融機関の第一線のカウンタ等の狭い設置スペースにも充分対応できるものとなる。
【００２９】
更に、表示ユニットを光学系ユニットの装着部に装着したとき、それを検知する手段を設け、この検知手段の出力に基づいて通常表示と反転表示の切り替えを自動的に行うようにしているため、係員は表示モードを指定する必要がなく、操作生にも優れたものとなる。
次に第２の実施の形態について説明する。
【００３０】
図９は第２の実施の形態を示す概略側面図、図１０は第２の実施の形態における表示ユニット１の斜視図、図１１は同じく第２の実施の形態における帳票載置台３の平面図である。
この第２の実施の形態における表示ユニット１と光学系ユニット２の基本的な構成は第１の実施の形態と同様であるが、以下の点で異なっている。
【００３１】
まず、表示ユニット１の表示モードとして通常モード及び反転モードの他に保守モードが追加され、この保守モードでは図１０に示したように例えば井形の基準パターン１６を表示できる機能を持たせている。
すなわち、基準パターン１６のデータを図４に示した画像メモリ１０に格納しておき、保守モードのとき制御部１３が画像メモリ１０からそのデータを読み出して表示部１１に表示させるものとなっている。
【００３２】
また、図１１に示したように光学ユニット２の帳票載置台３の上面にも同じ形状の基準パターン１７が予め刻印あるいは印刷により設けられているが、この基準パターン１７はシールに印刷して保守モード時に帳票載置台３に貼付することも可能である。
更に、光学ユニット２のハーフミラー５はその支持部材と共に装着部４に対して上下方向に移動できるように設けられており、ハーフミラー５とその支持部材とを一体に上下動させるための移動機構１８が設けられている。
【００３３】
この移動機構１８は、例えば装着部４の前端側に操作ノブと一体にしたピニオン（ギア）を設け、このピニオンと噛み合うラックをハーフミラー５の支持部材に固定して、操作ノブを手動により操作してピニオンを回転させることによりラックを介してハーフミラー５はその支持部材と一体に上下動させる構成とすることが可能であるが、この他にも歯付きプーリと歯付きベルトとを組み合わせる等任意のものを採用することができる。
【００３４】
このような構成による第２の実施の形態は、表示ユニット１単体で印鑑の照合を行う場合、キーボードにより表示モードを通常モードに指定する以外は第１の実施の形態と同様であるのでその説明は省略する。
表示ユニット１を光学系ユニット２に組み合わせて使用する場合は、光学系ユニット２１における支持部材２３の装着部に表示ユニット１を装着し、図示しないキーボードにより表示ユニット１を調整モードに設定すると、表示ユニット１に基準パターン１６が表示される。
【００３５】
この状態で光学系ユニット２の正面に向かって上方からハーフミラー５を覗き込むと、表示ユニット１に表示された基準パターン１６はハーフミラー５に映し出されるので目視でき、また帳票載置台３上の基準パターン１７はハーフミラー５を通して目視できることになる。
図１２はこのときの基準パターン１６と基準パターン１７を示している。
【００３６】
そこでこの状態において、表示ユニット１からハーフミラー５までの距離Ｌ１と、ハーフミラー５から帳票載置台３までの距離Ｌ２が同じであれば、ハーフミラー５に映し出された表示ユニット１の基準パターン１６と、ハーフミラー５を通して見える帳票載置台３上の基準パターン１７はほぼ同じ大きさになり、両基準パターン１６と１７は重なりあって合致する。
【００３７】
しかしながら、距離Ｌ１とＬ２が異なると、基準パターン１６と基準パターン１７の大きさも異なって見えることになるので、その場合は移動機構１８の操作ノブを手動により操作してピニオンを回転させ、これによりピニオンとラックの働きでハーフミラー５をその支持部材と一体に図１２に示した矢印Ａ方向に上下動させて距離Ｌ１とＬ２が同一になるように調整する。
【００３８】
調整後の印鑑の照合は第１の実施の形態と同様に行うが、この場合、登録印鑑データによる印鑑の画像と帳票上の被照合印の陰影を同じ大きさになるので係員は精度の高い照合を容易に行うことが可能になる。
以上説明した第２の実施の形態によれば、第１の実施の形態と同様の効果が得られる他、表示ユニットに基準パターンを表示する機能を持ち、帳票載置台上に同じ基準パターンを設け、光学系ユニットのハーフミラーをその支持部材と一体に上下動させる移動機構を設けているため、表示ユニットからハーフミラーまでの距離と、ハーフミラーから帳票載置台までの距離が等しくなるように容易に調整することができ、これにより登録印鑑データによる画像と帳票上の被照合印の陰影を同じ大きさにすることができるので、精度の高い照合が可能になると共に、移動機構により表示ユニットからハーフミラーまでの距離と、ハーフミラーから帳票載置台までの距離が等しくなるように容易に調整できるので、高い組み立て精度は要求されず、容易に製造が可能となる。
【００３９】
次に、第３の実施の形態について説明する。
図１３は第３の実施の形態を示す概略側面図で、この第３の実施の形態は第１の実施の形態の構成に光源１９を追加したものである。
この光源１９は帳票載置台３上に置かれた帳票１４を照明するためのもので、蛍光灯等が用いられ、ハーフミラー５の下面側の位置するように、ハーフミラー５を支持している支持部材に取り付けられている。
【００４０】
このような構成による第３の実施の形態は、第１の実施の形態と同様に印鑑の照合を行うものであるが、表示ユニット１を光学系ユニット２の装着部３に装着して印鑑の照合を行うとき、係員は光学系ユニット２の上方を覆うようにハーフミラー５を覗くことになるため、頭上方向からの室内灯２０の光が遮られ、帳票載置台３上に置かれた帳票１４に対する光量が不足して帳票１４上に押印されている被照合印の印影が見にくくなることがある。
【００４１】
そこでこの第３の実施の形態では、光源１９を点灯することで帳票載置台３上の帳票１４を充分に照明できるので被照合印の印影が見にくくなるのを解消することができる。
以上説明した第３の実施の形態によれば、帳票載置台３上に置かれた帳票１４を照明する光源を光学系ユニットに設けているため、印鑑照合の際に帳票１４上に押印されている被照合印の印影が見にくくなることがなく、良好な状態で照合を行うことが可能になる。
【００４２】
次に、第４の実施の形態について説明する。
図１４は第４の実施の形態を示す概略側面図である。
図において１は表示ユニットで、基本的には第１の実施の形態のものと同じであるが、上面には位置決め溝を有しておらず、また後述する光学系ユニットへの着脱を検出する回路やスイッチも有していないものとなっている。
【００４３】
従って、この表示ユニット１の通常モードと反転モードの切り替えは係員が図示しないキーボードにより指定するものとなっている。
２１は光学系ユニットで、この光学系ユニット２１は帳票１４を挿入保持する帳票保持部２２と、下部を表示ユニット１の装着部としかつハーフミラー５を固定支持した支持部材２３と、光学系ユニット２１を一定の角度に保つように支持部材２３の下面に設けられたスタンド部２４を備えている。
【００４４】
ここで、表示ユニット１は上面を手前にして装着部に寝かせて装着するものとし、そのとき表示ユニット１と帳票保持部２２は約９０度の角度を成すようになっており、そしてハーフミラー５は支持部材２３の装着部に装着された表示ユニット１及び帳票保持部２２に対してそれぞれ４５度の角度を成すように固定支持されている。
【００４５】
このような構成を有する第３の実施の形態において、表示ユニット１単体で印鑑の照合を行う場合、キーボードボードにより表示モードを通常モードに指定する以外は第１の実施の形態と同様に行う。
表示ユニット１を光学系ユニット２１に組み合わせて使用する場合は、光学系ユニット２１における支持部材２３の装着部に表示ユニット１を寝かせて装着し、キーボードにより表示モードを反転モードに指定する。
【００４６】
これにより表示ユニット１に登録印鑑データによる印鑑の画像が左右反転した形で表示されるので、係員は顧客が提示した帳票１４を帳票保持部２２に帳票１４を挿入して保持させ、この状態で帳票の正面に向かうように、斜め上方からハーフミラー５を覗き込み、ハーフミラー５上に映し出された登録印鑑データによる印鑑の画像と帳票１４上に印影を重ね合わせて印鑑の照合を行う。
【００４７】
このとき、頭上方向からの室内灯の光が遮られられることはなく、帳票１４が室内灯の光により照明されるため、被照合印の印影が見にくくなることはない。以上説明した第４の実施の形態によれば、第１の実施の形態と同様の効果が得られる他、表示ユニットを光学系ユニットに組み合わせて使用する際、係印は上方からハーフミラー５を覗き込む必要がなく、帳票は室内灯の光により照明されるため、良好な状態で照合を行うことが可能になると共に、第３の実施の形態に比べて光源や電源が不要となるので、構成が簡素化され、コストの上昇も防止できる。
【００４８】
【発明の効果】
以上説明したように、本発明は、簡単な刻印内容の印鑑を照合する場合、表示ユニットを単独で使用して照合を行うことができ、また複雑な刻印内容の印鑑を照合する場合は、表示ユニットを光学系ユニットの装着部に装着することにより、光学系ユニットのハーフミラーを利用して複雑な刻印内容の印鑑の照合を容易に行うことができるという効果が得られ、しかも表示ユニットの装着は容易であるので取扱い性にも優れたたものとなるという効果も得られる。
【００４９】
また、ハーフミラーを有する光学系ユニットはビデオカメラやイメージスキャナ等のイメージ取得手段を組み合わせる場合に比べて安価であると共に、光学系ユニットは表示ユニットに対応した小型に構成できるので場所を取らず、そのため金融機関の第一線のカウンタ等の狭い設置スペースにも充分対応できるという効果も得られる。
【００５０】
更に、表示ユニットを光学系ユニットの装着部に装着したとき、それを検知する手段を設け、この検知手段の出力に基づいて通常表示と反転表示の切り替えを自動的に行うようにしているため、係員は表示モードを指定する必要がなく、操作生にも優れるという効果も得られる。
【図面の簡単な説明】
【図１】第１の実施の形態を示す概略側面図
【図２】表示ユニットの斜視図
【図３】表示ユニットの装着を検出する手段の説明図
【図４】表示ユニットにおける制御系を示すブロック図
【図５】登録印鑑データを読み出す場合の方法を示す説明図
【図６】読み出した登録印鑑データの表示例形態を示す説明図
【図７】画像の再反転を示すための説明図
【図８】表示ユニットの装着の着脱を検出する手段の説明図
【図９】第２の実施の形態を示す概略側面図
【図１０】表示ユニットの斜視図
【図１１】帳票載置台の平面図
【図１２】２つの基準パターンを示す図
【図１３】第３の実施の形態を示す概略側面図
【図１４】第４の実施の形態を示す概略側面図
【符号の説明】
１  表示ユニット
２  光学系ユニット
３  帳票載置台
４  装着部
５  ハーフミラー
６ａ，６ｂ  位置決め溝
７ａ，７ｂ  位置決め突起
８ａ，８ｂ  電極
９ａ，９ｂ  電極
１０  画像メモリ
１１  表示部
１２  表示部コントローラ
１３  制御部
１４  帳票
１５ａ，１５ｂ  スイッチ
１６，１７  基準パターン
１８  移動機構
１９  光源
２１  光学系ユニット
２２  帳票保持部
２３  支部部材
２４  スタンド
【図１】
0004228475.tif 000002
【図２】
0004228475.tif 000003
【図３】
0004228475.tif 000004
【図４】
0004228475.tif 000005
【図５】
0004228475.tif 000006
【図６】
0004228475.tif 000007
【図７】
0004228475.tif 000008
【図８】
0004228475.tif 000009
【図９】
0004228475.tif 000010
【図１０】
0004228475.tif 000011
【図１１】
0004228475.tif 000012
【図１２】
0004228475.tif 000013
【図１３】
0004228475.tif 000014
【図１４】
0004228475.tif 000015